(57)【要約】【課題】サンダルや靴等の履物のインナーとして装着した際に外観から見えにくい構成を有し、かつ歩行時などの衝撃吸収性が高く、良好な足裏の保護性と装着感が得られる足裏クッションを提供する。【解決手段】主として低反発性シート層からなり、足指部を除く足裏前部にほぼ相対する平面形状を有する下敷部と、装着時に該下敷部を足裏前部に保持するための保持部とを備えることを特徴とする足裏クッション。【選択図】図１
0003121092.tif 000002
【実用新案登録請求の範囲】
【請求項１】
主として低反発性シート層からなり、足指部を除く足裏前部にほぼ相対する平面形状を有する下敷部と、装着時に該下敷部を足裏前部に保持するための保持部とを備えることを特徴とする足裏クッション。
【請求項２】
前記下敷部の裏側に滑り止め部を備えることを特徴とする請求項１記載の足裏クッション。
【請求項３】
前記滑り止め部として、点状のシリコン層を複数形成してなることを特徴とする請求項２に記載の足裏クッション。
【請求項４】
前記低反発性シート層の少なくとも表側に表面被覆層を備えることを特徴とする請求項１乃至３のいずれか一項に記載の足裏クッション。
【請求項５】
前記低反発性シート層の両面をそれぞれ布地で被覆し、縁部を縫着することにより、前記表面被覆層を形成することを特徴とする請求項４記載の足裏クッション。
【請求項６】
前記低反発性シート層が、柔軟性を有する不織布およびプラスティック発泡体から選ばれた多孔質材料に、該多孔質材料の重量に対し３０〜８０重量％の粘着剤を含浸させてなる材料からなることを特徴とする請求項１乃至５のいずれか一項に記載の足裏クッション。
【請求項７】
前記保持部として、前記下敷部の前部の第二指に相対する位置に装着時に指を挿入するための指ループを備えるミュールインタイプであることを特徴とする請求項１乃至６のいずれか一項に記載の足裏クッション。
【請求項８】
前記保持部として、さらに前記下敷部の後部に装着時にかかとを挿入するためのかかとループを備えるミュールインタイプであることを特徴とする請求項７記載の足裏クッション。
【請求項９】
前記保持部として、前記下敷部の前部に取り付けられ、足指部の外周を被覆可能な被覆部を備える、トゥーカバータイプであることを特徴とする請求項１乃至６のいずれか一項に記載の足裏クッション。
【請求項１０】
前記保持部として、さらに前記下敷部の前部の第二指に相対する位置に装着時に指を挿入するための指ループを備えることを特徴とする請求項９記載の足裏クッション。
【請求項１１】
前記保持部として、前記下敷部の前部に取り付けられ、各足指のための足指収容部が独立して形成されて足指部を被覆可能な被覆部を備える、トゥーカバータイプであることを特徴とする請求項１乃至６のいずれか一項に記載の足裏クッション。
【考案の詳細な説明】
【技術分野】
【０００１】
本考案は、サンダルや靴等の履物のインナーとして装着し、足裏を保護するための足裏クッションに関する。
【背景技術】
【０００２】
履物のインナーとして、足先部のみに装着する靴下は多く開発されているが、それらは足指部の吸湿性向上や外反母趾対応などを目的に、各足指のための足指収容部が独立して形成された指割れ靴下（下記特許文献１〜５参照）や、足指以外の足先のみを覆う足先部カバー（下記特許文献６参照）であり、甲側と足裏側で厚みの違いがある場合でも通常の靴下と同様に一体の編み物で形成されていた。
【０００３】
足裏への衝撃吸収を目的とする場合も、やや厚手の素材を下敷部として使用したものや（下記特許文献７〜９参照）、滑り止め層として設けたゴム層により衝撃を吸収するもの（下記特許文献１０参照）があるのみであった。
【特許文献１】登録意匠番号９８６８３５公報
【特許文献２】実用新案登録第３０５０７３９号公報
【特許文献３】特開２００２−３０２８０３公報
【特許文献４】特開２００３−３２８２０３公報
【特許文献５】実用新案登録第３１０８３５５号公報
【特許文献６】実用新案登録第３００１４３１号公報
【特許文献７】登録意匠番号１１９０４１３公報
【特許文献８】登録意匠番号１２２４９５２公報
【特許文献９】登録意匠番号１２４９３８８公報
【特許文献１０】実用新案登録第３１０８７３０号公報
【考案の開示】
【考案が解決しようとする課題】
【０００４】
しかし、上記のような一体の編み物で形成された足先靴下は甲側と足裏側の厚みの差が小さく、衝撃吸収性と装着時の着用感や外観性のいずれも向上させることは難しかった。問題があった。また、下敷部を別素材で構成したものも、より高い衝撃吸収性の向上が求められていた。
【０００５】
本考案は、サンダルや靴等の履物のインナーとして装着した際に外観から見えにくい構成を有し、かつ歩行時などの衝撃吸収性が高く、良好な足裏の保護性と装着感が得られる足裏クッションを提供することを目的とする。
【課題を解決するための手段】
【０００６】
上記の課題を解決するために、本考案は、次の様な足裏クッションを提供するものである。
【０００７】
（１）主として低反発性シート層からなり、足指部を除く足裏前部にほぼ相対する平面形状を有する下敷部と、装着時に該下敷部を足裏前部に保持するための保持部とを備えることを特徴とする足裏クッション。
【０００８】
（２）前記下敷部の裏側に滑り止め部を備えることを特徴とする前記（１）記載の足裏クッション。
【０００９】
（３）前記滑り止め部として、点状のシリコン層を複数形成してなることを特徴とする前記（２）に記載の足裏クッション。
【００１０】
（４）前記低反発性シート層の少なくとも表側に表面被覆層を備えることを特徴とする前記（１）乃至（３）のいずれか一項に記載の足裏クッション。
【００１１】
（５）前記低反発性シート層の両面をそれぞれ布地で被覆し、縁部を縫着することにより、前記表面被覆層を形成することを特徴とする前記（４）記載の足裏クッション。
【００１２】
（６）前記低反発性シート層が、柔軟性を有する不織布およびプラスティック発泡体から選ばれた多孔質材料に、該多孔質材料の重量に対し３０〜８０重量％の粘着剤を含浸させてなる材料からなることを特徴とする前記（１）乃至（５）のいずれか一項に記載の足裏クッション。
【００１３】
（７）前記保持部として、前記下敷部の前部の第二指に相対する位置に装着時に指を挿入するための指ループを備えるミュールインタイプであることを特徴とする前記（１）乃至（６）のいずれか一項に記載の足裏クッション。
【００１４】
（８）前記保持部として、さらに前記下敷部の後部に装着時にかかとを挿入するためのかかとループを備えるミュールインタイプであることを特徴とする前記（７）記載の足裏クッション。
【００１５】
（９）前記保持部として、前記下敷部の前部に取り付けられ、足指部の外周を被覆可能な被覆部を備える、トゥーカバータイプであることを特徴とする前記（１）乃至（６）のいずれか一項に記載の足裏クッション。
【００１６】
（１０）前記保持部として、さらに前記下敷部の前部の第二指に相対する位置に装着時に指を挿入するための指ループを備えることを特徴とする前記（９）記載の足裏クッション。
【００１７】
（１１）前記保持部として、前記下敷部の前部に取り付けられ、各足指のための足指収容部が独立して形成されて足指部を被覆可能な被覆部を備える、トゥーカバータイプであることを特徴とする前記（１）乃至（６）のいずれか一項に記載の足裏クッション。
【考案の効果】
【００１８】
本考案の足裏クッションは、サンダルや靴等の履物のインナーとして装着した際に外観から見えにくい構成でありながら、歩行時などの衝撃吸収性が高く、良好な足裏の保護性と装着感が得られる。
【考案を実施するための最良の形態】
【００１９】
本考案の足裏クッションは、主として低反発性シート層からなり、足指部を除く足裏前部にほぼ相対する平面形状を有する下敷部と、装着時に該下敷部を足裏前部に保持するための保持部とを備える。以下、図面を用いて、本考案を詳細に説明するが、本考案は下記の実施形態に限定されるものではない。
【００２０】
［実施形態１］
図１は、本考案の足裏クッションの一実施形態例であるミュールインを上側から見た平面図、図２は、図１のミュールインを下側から見た底面図、図３は、図１のミュールインのＡ−Ａ断面図、図４は、図１のミュールインを足先裏に着用した状態を示す外観斜視図である。
【００２１】
図１のミュールイン１は、足裏の、足指部付け根から中央部の土踏まず部分を覆う範囲にほぼ相対する平面形状を有する下敷部２を備える。下敷部２は、図３に示すように、柔軟性を有する不織布およびプラスティック発泡体から選ばれた多孔質材料に、該多孔質材料の重量に対し３０〜８０重量％の粘着剤を含浸させてなる材料からなる低反発性シート層６の両面をそれぞれ布地で被覆し、縁部を縫着することにより表面被覆層７、８を形成して構成されている。下敷部２の裏側には、点状のシリコン層からなる滑り止め部５が複数形成されている。
【００２２】
また、図１のミュールイン１は、保持部として、下敷部２の前部の第二指に相対する位置に装着時に指を挿入するための指ループ３を備え、さらに下敷部２の後部に装着時にかかとを挿入するためのかかとループ４を備える。指ループ３およびかかとループ４は伸縮性テープの両端部を下敷部２に逢着することにより形成されている。
【００２３】
図４に示すように、装着時は、指ループ３に第二指を挿入し、かかとループ４
かかとを挿入して足裏前部に下敷部２を保持する。下敷部に低反発性シート層を用いることにより歩行時等の衝撃吸収性が優れる一方、指ループとかかとループでのみ保持できるので、ミュールやサンダルなど足先に開口部がある履物のインナーとして使用しても見えにくく、外観性に優れる。
【００２４】
［実施形態２］
図５は、本考案の足裏クッションの他の実施形態例であるトゥーカバーを上側から見た平面図、図６は、図５のトゥーカバーを下側から見た底面図、図７は、図５のトゥーカバーのＢ−Ｂ断面図、図８は、図５のトゥーカバーを足先に着用した状態を示す外観斜視図である。
【００２５】
図５のトゥーカバー１１は、足裏の、足指部付け根から土踏まず部分の中程までの範囲にほぼ相対する平面形状を有する下敷部１２を備える。下敷部１２は、図７に示すように、柔軟性を有する不織布およびプラスティック発泡体から選ばれた多孔質材料に、該多孔質材料の重量に対し３０〜８０重量％の粘着剤を含浸させてなる材料からなる低反発性シート層１７の両面をそれぞれ布地で被覆し、縁部を縫着することにより表面被覆層１８、１９を形成して構成されている。下敷部１２の裏側には、点状のシリコン層からなる滑り止め部１６が複数形成されている。
【００２６】
また、図５のトゥーカバー１１は、保持部として、下敷部１２の前部に取り付けられ、足指部の外周を被覆可能な被覆部１４を備え、さらに被覆部１４の内側の下敷部１２前部の第二指に相対する位置に装着時に指を挿入するための指ループ１３を備える。被覆部１４は、布地として薄地の編み物を用い、図７に示すように、表側と裏側の２枚の布地１４ａ、１４ｂを合わせ、縁部の縫着により袋状に形成されている。なお、本考案においては、被覆部として薄手のソックス等の爪先部分を使用して図５に示すようなトゥーカバーを製造しても良い。また、被覆部１４の甲側の縁部１５は、布地の端部の始末とかねて、装着時の保持性を高めるため、伸縮性素材を用いて伸縮性が付与されている。伸縮性の付与は、図７に示すように、伸縮性素材１５ａを布地１４ａの端部でくるんで逢着することにより行われている。指ループ１３は、上記実施形態１の指ループ３と同様に、伸縮性テープの両端部を下敷部１２に逢着することにより形成されている。
【００２７】
図８に示すように、装着時は、指ループ１３に第二指を挿入しながら、被覆部１４に足指部全体を挿入して足裏前部に下敷部１２を保持する。下敷部に低反発性シート層を用いることにより歩行時等の衝撃吸収性が優れる一方、被覆部１４で保持できるので、甲の開口部が大きい履物やかかとが大きく開いた履物のインナーとして使用しても見えにくく、外観性に優れる。また、被覆部１４の中に指ループ１３を有することにより、保持性が向上し、足先部だけのカバーであっても脱げにくくなっている。
【００２８】
［実施形態３］
図９は、本考案の足裏クッションの他の実施形態例であるトゥーカバーを上側から見た平面図、図１０は、図９のトゥーカバーを下側から見た底面図、図１１は、図９のトゥーカバーのＣ−Ｃ断面図、図１２は、図９のトゥーカバーを足先に着用した状態を示す外観斜視図である。
【００２９】
図９のトゥーカバー２１は、足裏の、足指部付け根から土踏まず部分の中程までの範囲にほぼ相対する平面形状を有する下敷部２２を備える。下敷部２２は、図１１に示すように、柔軟性を有する不織布およびプラスティック発泡体から選ばれた多孔質材料に、該多孔質材料の重量に対し３０〜８０重量％の粘着剤を含浸させてなる材料からなる低反発性シート層２６の両面をそれぞれ布地で被覆し、縁部を縫着することにより表面被覆層２７、２８を形成して構成されている。下敷部２２の裏側には、点状のシリコン層からなる滑り止め部２５が複数形成されている。
【００３０】
また、図９のトゥーカバー２１は、保持部として、下敷部２２の前部に取り付けられ、各足指のための足指収容部２３aが独立して形成されて足指部を被覆可能な被覆部２３を備える。被覆部２３は、図１１に示すように、丸編みにより袋状に編み上げた薄地の編み物により形成されている。なお、本考案においては、被覆部として薄手の５本指ソックス等の爪先部分を使用して図９に示すようなトゥーカバーを製造しても良い。また、被覆部２３の甲側の縁部２４は実施形態２のトゥーカバーと同様に、布地の端部の始末とかねて、装着時の保持性を高めるため、伸縮性素材を用いて伸縮性が付与されている。伸縮性の付与は、図１１に示すように、伸縮性素材２４ａを布地の端部でくるんで逢着することにより行われている。
【００３１】
図１２に示すように、装着時は、被覆部２３の各足指収容部２３aに足指部をそれぞれ挿入して足裏前部に下敷部２２を保持する。下敷部に低反発性シート層を用いることにより歩行時等の衝撃吸収性が優れる一方、被覆部２３で保持できるので、甲の開口部が大きい履物やかかとが大きく開いた履物のインナーとして使用しても見えにくく、外観性に優れる。また、各足指収容部２３aに足指部をそれぞれ挿入することにより、保持性が向上し、足先部だけのカバーであっても脱げにくくなっている。
【００３２】
本考案の足裏クッションにおいて、下敷部の平面形状は、足指部を除く足裏前部にほぼ相対する平面形状を有すればよく、上記実施形態１のように土踏まず部分を全て覆う範囲や、上記実施形態２，３のように土踏まず部分の中程までの範囲、土踏まず部分を含まない範囲など適宜選択できる。
【００３３】
本考案の足裏クッションは、上記実施形態のように、下敷部の裏側に滑り止め部を備えるのが、装着時の下敷部の安定性の点から好ましい。滑り止め部の構成は特に限定されず、シリコンやゴムなどの素材を、必要な厚みや平面形状に、接着、融着、塗布などの方法により形成すればよく、例えば、上記実施形態のように点状のシリコン層を複数形成する構成が挙げられる。
【００３４】
本考案の足裏クッションにおいて、下敷部を構成する低反発性シート層は、柔軟性を有する不織布及びプラスティック発泡体などの多孔質材料に、シリコーン系粘着剤、アクリル系粘着剤、ゴム系粘着剤等の粘着剤を含浸させた材料から形成されるシート状物であるのが好ましい。含浸させる粘着剤の量は、多孔質材料の重量に対し、３０〜８０重量％であるのが好ましい。上記多孔質材料としては、例えばポリウレタンフォームが挙げられる。
【００３５】
本考案において、低反発性シート層の厚みは、３〜７ｍｍであるのが好ましい。
【００３６】
本考案の足裏クッションは、下敷部を低反発性シート層のみから構成しても良いし、低反発性シート層を主要部分として、下敷部の耐久性や肌触りなどの着用感の向上、デザイン上の点から、本考案の作用を阻害しない範囲で、表側および／または裏側に表面被覆層を備えていてもよい。特に、低反発性シート層の少なくとも表側には、表面被覆層を備えるのが、着用感の向上の点から好ましい。表面被覆層としては、布地などの他部材を使用し、トリコット等の編物や、綿、ナイロンなどの比較的柔らかい織物を使用するのが好ましい。本考案において、クッション性は低反発性シート層により発現されるので、表面被覆層は薄地の素材であるのが下敷部の厚みが大きくなりすぎず、好ましい。表面被覆層の形成方法は、使用する素材により縫合、接着、融着などの方法を適宜選択でき、低反発性シート層表面に表面被覆層を形成後、下敷部の平面形状を所望の形に成形しても良いが、加工性、耐久性等の点から、低反発性シート層の両面をそれぞれ布地で被覆し、縁部を縫着することにより、表面被覆層を形成するのが好ましい。
【００３７】
本考案において、保持部は、上記実施形態１、２における指ループ、かかとループ等のループや、上記実施形態２、３に示されるような被覆部を、所望の装着状態に応じて適宜組み合わせて構成される。指ループの配置は、上記実施形態のように第二指に相対する位置に１箇所取り付けるのが、保持性、着用感、外観からの見えにくさ等の点から好ましい。
【００３８】
上記指ループ、かかとループ等のループは、テープ状物により形成され、特に伸縮性テープにより形成されるのが好ましい。伸縮性テープとしては、伸縮性を有する糸を使用し、編や織によって紐状またはテープ状に形成したものや、面状の伸縮性素材を紐状に加工したもの等が挙げられる
【００３９】
上記被覆部は、伸縮性を有する薄地の素材で形成するのが好ましく、素材としては、例えばストッキングに使用する編み物などが挙げられる。被覆部の形状やサイズは、所望の装着状態に応じて決定される。被覆部の形成は、上記実施形態２のように表側と裏側の２枚の布地を合わせ、縁部の縫着などにより袋状に形成する方法や、上記実施形態３のように丸編みにより袋状に編み上げる方法など通常一般に靴下などのつま先部を形成する方法を使用できる。なお、被覆部の甲側の縁部は、上記実施形態２、３に示されるように、布地の端部の始末とかねて、装着時の保持性を高めるため、伸縮性素材を用いて伸縮性を付与するのが好ましい。伸縮性素材としては、ゴムやスパンデックス等の伸縮性材料を紐状に加工したものや、ゴムやスパンデックス等の伸縮性の糸を挿入または編み込むなどして得られる布をループ状に加工した紐、またはゴムやスパンデックス等の伸縮性の糸を挿入または編み込むなどして得られる紐等が挙げられる。
【００４０】
上記指ループ、かかとループ等のループや被覆部の下敷部への取り付けは、それぞれ使用する素材に応じて、縫着や、接着等の方法により行われる。
【００４１】
本考案において、上記構成以外の足裏クッションの構成は、特に限定されず、本考案の作用を阻害しない範囲で他の構成を備えていても良い。
【００４２】
本考案の足裏クッションとして、具体的には、上記実施形態のようなミュールインタイプ、トゥーカバータイプが挙げられる。
【産業上の利用可能性】
【００４３】
本考案の足裏クッションは、ミュールやサンダル、靴等の履物のインナーとして装着した際に外観から見えにくい構成でありながら、足裏のクッション性が高いため歩行時などの衝撃吸収性が高く、良好な足裏の保護性と装着感が得られるので、特につま先あるいは甲部等に開口部を有する履物を履く際のインナー用として有用である。
【図面の簡単な説明】
【００４４】
【図１】本考案の足裏クッションの一実施形態例であるミュールインを上側から見た平面図。
【図２】図１のミュールインを下側から見た底面図。
【図３】図１のミュールインのＡ−Ａ断面図。
【図４】図１のミュールインを足先裏に着用した状態を示す外観斜視図。
【図５】本考案の足裏クッションの他の実施形態例であるトゥーカバーを上側から見た平面図。
【図６】図５のトゥーカバーを下側から見た底面図。
【図７】図５のトゥーカバーのＢ−Ｂ断面図。
【図８】図５のトゥーカバーを足先に着用した状態を示す外観斜視図。
【図９】本考案の足裏クッションの他の実施形態例であるトゥーカバーを上側から見た平面図。
【図１０】図９のトゥーカバーを下側から見た底面図。
【図１１】図９のトゥーカバーのＣ−Ｃ断面図。
【図１２】図９のトゥーカバーを足先に着用した状態を示す外観斜視図。
【符号の説明】
【００４５】
１  ミュールイン（本考案の足裏クッション）
２、１２、２２  下敷部
３、１３  指ループ（保持部）
４  かかとループ（保持部）
５、１６、２５  滑り止め部
６、１７、２６  低反発性シート層
７、１８、２７  表面被覆層（表側）
８、１９、２８  表面被覆層（裏側）
１１、２１  トゥーカバー（本考案の足裏クッション）
１４、２３  被覆部（保持部）
１５、２４  被覆部縁部
１５ａ、２４ａ  伸縮性テープ
２３ａ  足指収容部
【図１】
0003121092.tif 000003
【図２】
0003121092.tif 000004
【図３】
0003121092.tif 000005
【図４】
0003121092.tif 000006
【図５】
0003121092.tif 000007
【図６】
0003121092.tif 000008
【図７】
0003121092.tif 000009
【図８】
0003121092.tif 000010
【図９】
0003121092.tif 000011
【図１０】
0003121092.tif 000012
【図１１】
0003121092.tif 000013
【図１２】
0003121092.tif 000014